(57)【特許請求の範囲】
【請求項１】
複数のページ構成体を備えるページ部と、該ページ部と組み合わされる表紙部とを備えてなるアルバムであって、前記表紙部は、少なくともその一部に、透明若しくは半透明な透過領域を備えると共に、該透過領域に写真画像等の画像を備え、且つ前記ページ構成体のうち、前記表紙部の次にくるページ構成体に備える写真画像等の画像と、前記表紙部に備える画像とを重ね合わせることで、新たな組合わせ画像を表示するように構成してあると共に、前記表紙部に備える画像が、透明若しくは半透明からなることを特徴とするアルバム。
【請求項２】
表紙部に備える画像は、０．８ｍｍ〜１ｍｍの厚みを有することを特徴とする請求項１に記載のアルバム。
【請求項３】
表紙部は、板状部材からなると共に、該板状部材の外面側に画像を設けてあることを特徴とする請求項１又は２に記載のアルバム。
【請求項４】
板状部材は、アクリル板と、該アクリル板に貼り付けられるフィルムとからなると共に、該フィルムに画像を印刷形成してあることを特徴とする請求項３に記載のアルバム。
【発明の詳細な説明】
【技術分野】
【０００１】
本発明は、ページ構成体に備える画像と、表紙部の透過領域に備える画像とを重ね合わせることで、新たな組合わせ画像を表示することができるアルバムに関する。
【背景技術】
【０００２】
従来、お宮参り、七五三、入学式、卒業式、成人式、婚礼等の記念行事に際しての記念写真を保存、閲覧することができるものとして、アルバムが用いられている。
このようなアルバムとしては、厚紙等の芯材の表裏全面に感圧性接着剤を塗布し、表面を透明の保護フィルムで剥離自在に被覆した台紙を複数枚連結させて製本した構成で形成されているもの（いわゆるブック型アルバム）が一般的であった。
しかし近年、透明感（クリア感）、高級感を演出できるアルバムとして、透明のアクリル板で表紙を形成するアルバムが開発されている。
このようなアルバムを示す従来技術として、例えば下記特許文献１がある。
【先行技術文献】
【特許文献】
【０００３】
【特許文献１】実用新案登録第３１２７８６８号公報
【発明の概要】
【発明が解決しようとする課題】
【０００４】
上記特許文献１はデジタル加工写真アルバムに関する発明で、アルバムの表紙体の一部に透明のアクリル板を使用し、アクリル板の裏面に写真を転写した構成を備えることで、写真でありながら透き通り、表からも裏からも見ることができるアルバム表紙を実現できるというメリットがある。
しかし上記特許文献１に示す発明においては、あくまで表紙を構成するアクリル板に写真を転写して備えるだけの構成であることから、ビジュアル性及びオリジナル性に欠けるという問題があった。またアクリル板の厚みを生かして立体感や奥行き感のある画像を効果的に表示することができないという問題があった。
【０００５】
そこで本発明は上記従来における問題点を解決し、ビジュアル性に優れると共に、オリジナル性を有し、また立体感、奥行き感のある画像を効果的に表示することができるアルバムの提供を課題とする。
【課題を解決するための手段】
【０００６】
本発明のアルバムは、複数のページ構成体を備えるページ部と、該ページ部と組み合わされる表紙部とを備えてなるアルバムであって、前記表紙部は、少なくともその一部に、透明若しくは半透明な透過領域を備えると共に、該透過領域に写真画像等の画像を備え、且つ前記ページ構成体のうち、前記表紙部の次にくるページ構成体に備える写真画像等の画像と、前記表紙部に備える画像とを重ね合わせることで、新たな組合わせ画像を表示するように構成してあると共に、前記表紙部に備える画像が、透明若しくは半透明からなることを第１の特徴としている。
【０００７】
上記本発明の第１の特徴によれば、アルバムは、複数のページ構成体を備えるページ部と、該ページ部と組み合わされる表紙部とを備えてなるアルバムであって、前記表紙部は、少なくともその一部に、透明若しくは半透明な透過領域を備えると共に、該透過領域に写真画像等の画像を備え、且つ前記ページ構成体のうち、前記表紙部の次にくるページ構成体に備える写真画像等の画像と、前記表紙部に備える画像とを重ね合わせることで、新たな組合わせ画像を表示するように構成してあると共に、前記表紙部に備える画像が、透明若しくは半透明からなることから、組合わせ画像を表示できることで、ビジュアル性に優れると共に、オリジナル性のあるアルバムとすることができる。
【０００８】
また表紙部に備える画像が、透明若しくは半透明からなることで、表紙部に備える画像とページ構成体に備える画像とを一段と効果的に重ね合わせて新たな組合わせ画像を表示することができる。
【０００９】
従って一段とビジュアル性に優れると共に、オリジナル性のあるアルバムとすることができる。
【００１０】
また本発明のアルバムは、上記本発明の第１の特徴に加えて、表紙部に備える画像は、０．８ｍｍ〜１ｍｍの厚みを有することを第２の特徴としている。
【００１１】
上記本発明の第２の特徴によれば、上記本発明の第１の特徴による作用効果に加えて、表紙部に備える画像は、０．８ｍｍ〜１ｍｍの厚みを有することから、立体感、奥行き感のある組合わせ画像を効果的に表示することができる。
よって一段とビジュアル性に優れると共に、オリジナル性のあるアルバムとすることができる。
【００１２】
また本発明のアルバムは、上記本発明の第１又は第２の特徴に加えて、表紙部は、板状部材からなると共に、該板状部材の外面側に画像を設けてあることを第３の特徴としている。
【００１３】
上記本発明の第３の特徴によれば、上記本発明の第１又は第２の特徴による作用効果に加えて、表紙部は、板状部材からなると共に、該板状部材の外面側に画像を設けてあることから、表紙部を形成する板状部材の厚みを効果的に利用して、新たな組合わせ画像を表示することができる。
よって一段と立体感、奥行き感のある新たな組合わせ画像を表示することができる。
従って一段とビジュアル性に優れると共に、オリジナル性のあるアルバムとすることができる。
【００１４】
また本発明のアルバムは、上記本発明の第３の特徴に加えて、板状部材は、アクリル板と、該アクリル板に貼り付けられるフィルムとからなると共に、該フィルムに画像を印刷形成してあることを第４の特徴としている。
【００１５】
上記本発明の第４の特徴によれば、上記本発明の第３の特徴による作用効果に加えて、板状部材は、アクリル板と、該アクリル板に貼り付けられるフィルムとからなると共に、該フィルムに画像を印刷形成してあることから、アクリル板を用いることで、透明感及び高級感のある表紙部とすることができると共に、変色し難い表紙部とすることができる。また画像を印刷形成したフィルムをアクリル板に貼り付ける構成とすることで、自由なレイアウトの画像を備える表紙部を容易に形成することができる。
【発明の効果】
【００１６】
本発明のアルバムによれば、ビジュアル性に優れると共に、オリジナル性のあるアルバムとすることができる。
また立体感、奥行き感のある画像を効果的に表示することができるアルバムとすることができる。
また透明感及び高級感のある表紙部とすることができると共に、変色し難い表紙部とすることができる。また自由なレイアウトの画像を備える表紙部を容易に形成することができる。
【図面の簡単な説明】
【００１７】
【図１】本発明の実施形態に係るアルバムを示す図で、（ａ）はアルバムのページ部側を示す斜視図、（ｂ）はアルバムの表紙部側を示す斜視図である。
【図２】本発明の実施形態に係るアルバムを閉じた状態を示す図で、（ａ）は底面図、（ｂ）は正面図、（ｃ）は背面図である。
【図３】本発明の実施形態に係るアルバムの分解斜視図である。
【図４】本発明の実施形態に係るアルバムを示す図で、（ａ）はアルバムの表紙部を示す平面図、（ｂ）はアルバムのページ部を開いた状態を示す平面図である。
【図５】本発明の実施形態に係るアルバムを示す図で、（ａ）は図４（ａ）のＡ−Ａ線方向における断面図、（ｂ）は図４（ｂ）のＢ−Ｂ線方向における要部の断面図である。
【図６】本発明の実施形態に係るアルバムの製造方法を簡略化して示す図である。
【図７】本発明の実施形態に係るアルバムの製造方法を簡略化して示す図である。
【図８】本発明の実施形態に係るアルバムの製造方法を簡略化して示す図である。
【図９】従来のアルバムを示す図で、（ａ）はアルバムのページ部側を示す斜視図、（ｂ）はアルバムの表紙部側を示す斜視図である。
【図１０】従来のアルバムを示す図で、（ａ）はアルバムのページ部側を示す斜視図、（ｂ）はアルバムの表紙部側を示す斜視図である。
【発明を実施するための形態】
【００１８】
以下の図面を参照して、本発明の実施形態に係るアルバム１及びアルバム１の製造方法を説明し、本発明の理解に供する。しかし、以下の説明は本発明の実施形態であって、特許請求の範囲に記載の内容を限定するものではない。
【００１９】
まず図１〜図５を参照して、本発明の実施形態に係るアルバム１を説明する。
【００２０】
本発明の実施形態に係るアルバム１は、写真画像等の画像（具体的には顔写真等の写真画像Ｐと、イラストや図形等の装飾画像Ｓ）を閲覧、保存するためのアルバムである。
なお、ここで「写真画像Ｐ」とは、画像のうち、デジタルカメラ等の写真機（いわゆるカメラ）で撮影された画像を意味するものとし、「装飾画像Ｓ」とは、画像のうち、写真画像以外の画像（例えばイラスト、飾り枠、文字、数字等）を意味するものとする。
このアルバム１は図１〜図３に示すように、表紙部１０と、ページ部２０と、背カバー部３０とから構成される。
【００２１】
前記表紙部１０は、アルバム１の表紙を構成する板状部材である。
この表紙部１０は、図１〜図３に示すように、おもて表紙１１と、うら表紙１２とで構成される。
なお、おもて表紙１１とうら表紙１２とは、それぞれが備える画像のデザインが異なるのみで、他の構成は同一構成であることから、以下においては、おもて表紙１１のみを説明し、うら表紙１２については、詳細な説明を省略するものとする。
【００２２】
前記おもて表紙１１は、アルバム１のおもて側の表紙を形成するものである。
このおもて表紙１１は、図５（ａ）に示すように、アクリル板１１ａと、アクリル板１１ａに接着剤４０を介して貼り付けられるフィルム１１ｂとから構成される。
【００２３】
前記アクリル板１１ａは、おもて表紙１１の骨格を形成するものである。
本実施形態においては、図４（ａ）に示すように、四角形のアクリル板１１ａを用いる構成としてある。また本実施形態においては、無色透明のアクリル板を用いる構成としてある。
なお図４（ａ）に示すアクリル板１１ａの縦の長さＣは、２４０ｍｍ程度とすることが望ましい。
またアクリル板１１ａの横の長さＤは、２４０ｍｍ程度とすることが望ましい。
またアクリル板１１ａの厚みは、３ｍｍ〜５ｍｍ程度とすることが望ましい。３ｍｍ未満とするとアクリル板１１ａの厚みを利用して立体感、奥行き感のある新たな組合わせ画像を効果的に表示することができないからであり、５ｍｍを超えると重量が増すからである。
【００２４】
前記フィルム１１ｂは、アクリル板１１ａの外面側（アルバム１を形成した状態における外面側）に貼り付けられて、主としておもて表紙１１の画像を表示するためのものである。
本実施形態においては、図１（ｂ）に示すように、フィルム１１ｂとして、フィルムを通して物体等を視認することができる透明な領域である透過領域Ｔと、フィルムを通して物体等を視認することができない有色で無模様な領域である非透過領域Ｎとを備える四角形のフィルムを用いる構成としてある。
前記透過領域Ｔは、後述するページ構成体２１に備える画像と重ね合わせることで、新たな組合わせ画像Ｋを形成することができる画像を形成するための領域である。本実施形態においては図１、図３、図４に示すように、透過領域Ｔに、有色で半透明な１つの装飾画像Ｓ（額縁画像）を設ける構成としてある。（なお図３に示すように、うら表紙１２においては、透過領域Ｔに有色で半透明な５つの装飾画像Ｓを設ける構成としてある。）
この装飾画像Ｓは、例えばコンピュータの画像処理ソフトを用いて形成することができる。またフィルム１１ｂへの装飾画像Ｓの印刷は、例えばインクジェット印刷や、昇華転写印刷等を用いて行うことができる。
また前記非透過領域Ｎは、後述するように、主として表紙部取り付け用片２２が、無色透明のアクリル板１１ａから透けて見えることを防止するための領域である。
この非透過領域Ｎは後述するように、例えば無色透明のフィルム１１ｂの表面に、有色のインクを塗布（有色のインクをいわゆるベタ塗り印刷）することで形成することができる。
本実施形態においては、後述するように、コンピュータの画像処理ソフトを用いて透過領域Ｔとなる領域には装飾画像Ｓを描画すると共に、非透過領域Ｎとなる領域には色塗り（いわゆるベタ塗り）の設定を行った後、図５（ａ）に示すように、１枚の無色透明なフィルム１１ｂの表面にプリンターを用いてインクジェット印刷で装飾画像Ｓ及び非透過領域Ｎとを構成するインク層Ｉを形成する構成としてある。
更に本実施形態においては、装飾画像Ｓは、透過性のある有色インクを用いて厚盛り印刷することで形成する構成としてある。
【００２５】
なおフィルム１１ｂとしては、ポリエステルフィルム等を用いることができる。本実施形態においてはポリエステルフィルムを用いる構成としてある。
またフィルム１１ｂの形状、大きさは、既述したアクリル板１１ａの形状、大きさと同一なものとすることが望ましい。本実施形態においては、フィルム１１ｂの形状、大きさをアクリル板１１ａの形状、大きさと同一なものとしてある。
またフィルム１１ｂの厚みは、１２５μｍ程度とすることが望ましい。
また透過性のあるインクとしては、インクジェット印刷や、昇華転写印刷等で使用することができると共に、厚盛り印刷可能な市販の透過性インクを用いることができる。
また装飾画像Ｓの厚み（装飾画像Ｓを形成するインク層Ｉの厚み）は、０．８ｍｍ〜１ｍｍ程度とすることが望ましい。
【００２６】
このような構成からなるフィルム１１ｂは、図５（ａ）に簡略化して示すように、無色透明な接着剤４０を介してアクリル板１１ａの外面側に貼り付けられている（圧着されている）。
これにより、装飾画像Ｓを備える透過領域Ｔと、有色で無模様な非透過領域Ｎとを備える表紙部１０が形成されている。
なお接着剤４０としては、アクリル板１１ａにフィルム１１ｂを貼り付けることができる無色透明な接着剤であれば、如何なるものを用いてもよい。
例えばアクリル系接着剤等を用いることができる。
【００２７】
前記ページ部２０は、アルバム１のページ部分を構成するものである。
より具体的には、図１、図３に示すように、写真画像Ｐや装飾画像Ｓを備えてなるページ構成体２１を複数連結させてなるものである。
【００２８】
前記ページ構成体２１は、アルバム１のページ片を構成するものである。
このページ構成体２１は、図５（ｂ）に示すように、ベース材２１ａと、印刷体２１ｂと、表面保護膜２１ｃとからなる。
【００２９】
前記ベース材２１ａは、ページ構成体２１の骨格を構成するものである。
本実施形態においては、図３、図４（ｂ）に簡略化して示すように、見開き自在に２つ折り可能な１枚の長方形からなる板状部材でベース材２１ａを形成する構成としてある。
より具体的には、中央に形成される折り目線Ｌ１に沿って２つ折り（谷折り）にすることで、同一大きさの２面を内側に対向させて形成することができると共に、それら２面を見開き自在とすることができる１枚の長方形からなる板状部材でベース材２１ａを形成する構成としてある。
また本実施形態においては、後述するように、１枚のベース材２１ａを２つ折り（谷折り）にした際、内側で対向する２面に、接着剤を介して２枚の印刷体２１ｂを貼り付ける構成としてある。
このベース材２１ａを形成する板状部材としては、厚紙等を用いることができる。
本実施形態においては、ベース材２１ａとして厚紙を用いる構成としてある。
またベース材２１ａに印刷体２１ｂを貼り付ける接着剤としては、ベース剤２１ａと印刷体２１ｂとを貼り合わせることができるものであれば、如何なるものを用いてもよい。
例えばにかわ、両面テープ等を用いることができる。
【００３０】
なおベース材２１ａの大きさは、少なくとも印刷体２１ｂを２枚並列配置させて貼り付けることができる大きさ以上であると共に、２つ折り（谷折り）にした状態でアクリル板１１ａの大きさ以下であることが望ましい。
本実施形態においては、２つ折り（谷折り）にした状態でアクリル板１１ａと同一大きさであるベース材２１ａを用いる構成としてある。
より具体的には、図４（ｂ）に示すベース材２１ａの縦の長さＥは、２４０ｍｍ程度とすることが望ましい。
またベース材２１ａの横の長さＦは、４８２ｍｍ程度とすることが望ましい。
またベース材２１ａの厚みは、０．３ｍｍ〜０．５ｍｍ程度とすることが望ましい。
【００３１】
前記印刷体２１ｂは、写真画像Ｐや装飾画像Ｓを表示するためのものである。
本実施形態においては、後述するように、印刷体２１ｂに１乃至複数の写真画像Ｐ（顔写真）と、１乃至複数の装飾画像Ｓ（イラスト、フレーム枠等）とを合成印刷して設ける構成としてある。
また詳しくは図示していないが、本実施形態においては、複数のページ（印刷体２１ｂ）を備えるアルバム１において、ページ毎で独立した画像を設ける構成としてある。
また特に、アルバム１を形成した状態において、おもて表紙１１及びうら表紙１２の次にくるページ構成体２１（おもて表紙１１及びうら表紙１２と対向することになる印刷体２１ｂ）には、おもて表紙１１、うら表紙１２にそれぞれ備える画像と新たな組合わせ画像を形成することができる画像を設ける構成としてある。
この印刷体２１ｂとしては、印画紙を用いることができる。より具体的には、光沢紙、絹目紙、微粒面紙等を用いることができる。
本実施形態においては、印刷体２１ｂとして微粒面紙を用いる構成としてある。
なお写真画像Ｐと装飾画像Ｓとの合成は、例えばコンピュータの画像処理ソフトを用いて行うことができる。
本実施形態においては、後述するように、画像処理ソフトを用いて写真画像Ｐをコンピュータ内に入力した後、画像処理ソフトを用いて写真画像Ｐと任意の装飾画像Ｓとを合成する構成としてある。
また印刷体２１ｂへの写真画像Ｐ、装飾画像Ｓの印刷は、例えばインクジェット印刷、印画紙出力、昇華転写印刷等を用いて行うことができる。
本実施形態においては、後述するように、プリンターを用いて印画紙出力で行う構成としてある。
【００３２】
なお印刷体２１ｂの大きさは、ベース材２１ａの折り目線Ｌ１を介して、２枚の印刷体２１ｂを並列配置させることができる大きさであることが必要である。
より具体的には、図４（ｂ）に示す印刷体２１ｂの縦の長さＧは、２４０ｍｍ程度とすることが望ましい。
また印刷体２１ｂの横の長さＨは、２３９ｍｍ程度とすることが望ましい。
また印刷体２１ｂの厚みは、０．２ｍｍ〜０．３５ｍｍ程度とすることが望ましい。
【００３３】
前記表面保護膜２１ｃは、印刷体２１ｂを保護するためのものである。
より具体的には、写真画像Ｐと装飾画像Ｓとを合成印刷させて備える印刷体２１ｂに汚れや傷が付くことを防止すると共に、アルバム１を閉じた状態において隣接する印刷体２１ｂ同士が湿気等により接着することを防止するためのものである。
この表面保護膜２１ｃは、印刷体２１ｂの表面に表面保護剤を塗布したり（いわゆるニスコーティング等）、印刷体２１ｂの表面に透明の表面保護フィルムを被覆（ラミネート）させたり（いわゆるフィルムコーティング等）等、印刷体２１ｂの表面に表面保護加工を施すことで形成することができる。
なお表面保護剤としては、ニス、液体ラミネート等を用いることができる。
また透明の表面保護フィルムとしては、ポリエチレンフィルム等を用いることができる。
本実施形態においては、印刷体２１ｂの表面にニスを塗布することで表面保護膜２１ｃを形成する構成としてある。
また表面保護膜２１ｃの厚みは、４．５μｍ〜６．５μｍ程度とすることが望ましい。
【００３４】
このような構成からなるページ部２０は、以下のように形成される。
まず見開き自在な（２つ折り可能な）１枚のベース材２１ａに、接着剤を介して表面保護膜２１ｃを備える２枚の印刷体２１ｂを並列配置させて貼り付けることで、図４（ｂ）に示す１つのページ構成体２１を形成する。
なお接着剤としては、ベース材２１ａと印刷体２１ｂとを貼り合わせることができるものであれば、如何なるものを用いてもよい。
例えば両面テープ、にかわ等を用いることができる。
その後、図３に簡略化して示すように、図示しない接着剤を介して複数（本実施形態においては５枚）のページ構成体２１の裏面（ベース材２１ａにおいて印刷体２１ｂを貼り付けていない面）同士を貼り付ける（連結させる）。
これにより複数のページ構成体２１が見開き自在に連結される（いわゆる製本状態となる。）。
なお接着剤としては、複数のページ構成体２１の裏面同士を貼り合わせることができるものであれば、如何なるものを用いてもよい。
例えば両面テープ、澱粉系接着剤、サクビ系接着剤等を用いることができる。
そして図３に一部を示すように、連結状態にある複数のページ構成体２１のうち、最初と最後のページ部分の所定領域（おもて表紙１１及びうら表紙１２の透過領域Ｔと対向する領域）を切断して除去することで、表紙部取り付け用片２２を形成する。
これにより、ページ構成体２１を複数連結させてあると共に、１対の表紙部取り付け用片２２を備えてなるページ部２０が形成される。
【００３５】
前記背カバー部３０はシート状部材からなり、主として連結状態にある（製本状態にある）複数のページ構成体２１の背部分を隠すためのものである。
本実施形態においては、図３に簡略化して示すように、細長い長方形からなるシート状部材で背カバー部３０を形成する構成としてある。
なお背カバー部３０を形成する部材としては、例えばビニールレザー、布製生地等を用いることができる。
本実施形態においては、背カバー部３０としてビニールレザーを用いる構成としてある。
また本実施形態においては、図２（ａ）、図３に簡略化して示すように、この背カバー部３０を、１対の表紙部取り付け用片２２のうち、何れか一方の表紙部取り付け用片２２から複数のページ構成体２１の背部分を通って、残る他方の表紙部取り付け用片２２までに渡って、図示しない接着剤を介して一体的に貼り付ける構成としてある。
なお接着剤としては、背カバー部３０を、１対の表紙部取り付け用片２２のうち、何れか一方の表紙部取り付け用片２２から複数のページ構成体２１の背部分を通って、残る他方の表紙部取り付け用片２２までに渡って一体的に貼り付けることができるものであれば、如何なるものを用いてもよい。
例えば両面テープ等を用いることができる。
【００３６】
また背カバー部３０の大きさは、少なくとも複数のページ構成体２１の背部分の全体を囲む領域よりも大きいものであることが必要である。
より具体的には、図３に示す背カバー部３０の縦の長さＪは、２４０ｍｍ程度とすることが望ましい。２４０ｍｍ未満であると、複数のページ構成体２１の背部分の全体を被覆することができないからであり、２４０ｍｍを超えると表紙部取り付け用片２２の縦の長さを超えてしまい、長すぎるからである。
また背カバー部３０の横の長さＭは、背カバー部３０で被覆するページ部２０の横の長さプラス（＋）２０ｍｍ程度とすることが望ましい。ページ部２０の横の長さ未満であると、複数のページ構成体２１の背部分の全体を被覆することができないからである。
また背カバー部３０の厚みは、０．３５ｍｍ程度とすることが望ましい。
【００３７】
そしてこのような構成からなる背カバー部３０を、ページ部２０の所定領域に接着剤を介して貼り付けた後、表紙部取り付け用片２２に、それぞれおもて表紙１１と、うら表紙１２とを図示しない接着剤を介して貼り付けることで、アルバム１が形成される。
なお背カバー部３０をページ部２０に貼り付けるための接着剤としては、背カバー部３０をページ部２０に貼り付けることができるものであれば、如何なるものを用いてもよい。
例えば両面テープ等を用いることができる。
また１対の表紙部取り付け用片２２に、おもて表紙１１とうら表紙１２とを貼り付けるための接着剤としては、表紙部取り付け用片２２に、おもて表紙１１とうら表紙１２とを貼り付けることができるものであれば、如何なるものを用いてもよい。
例えば両面テープ等を用いることができる。
【００３８】
このような構成からなる本発明の実施形態に係るアルバム１は、以下の効果を奏する。
ページ構成体２１のうち、表紙部１０（具体的にはおもて表紙１１及びうら表紙１２）の次にくるページ構成体２１に備える画像（写真画像Ｐ及び装飾画像Ｓ）と、表紙部１０に備える画像（装飾画像Ｓ）とを重ね合わせることで、新たな組合わせ画像Ｋを表示するように構成してあることで、特にアルバム１の表面及び裏面において、表紙部１０若しくはページ構成体２１に備える画像単体では醸し出すことのできない美観を観者に与えることができる。よって特にアルバム１の表面及び裏面において、ビジュアル性に優れると共に、オリジナル性のある画像を表示することができる。
従ってビジュアル性に優れると共に、オリジナル性のあるアルバム１とすることができる。従って販売時に他のアルバムとの差別化を図ることができる。
また表紙部１０に備える装飾画像Ｓを、有色で半透明な画像とすることで、表紙部１０に備える画像とページ構成体２１に備える画像とを一段と効果的に重ね合わせることができる。
より具体的には、図２（ｃ）に示すように、ページ構成体２１に備える画像を背景画像（いわゆる下絵）として、表紙部１０に備える画像を重ね合わせることが可能となる。
よってページ構成体２１に備える画像と表紙部１０に備える画像とを一段と効果的に一体化させて新たな組合わせ画像Ｋを表示することができる。特に図２（ｃ）に示すように、ページ構成体２１と表紙部１０とに互いに相似形である画像を中心が重なるように配置するような場合には、ページ構成体２１の画像と表紙部１０の画像とに施す配色によって、グラデーションのある画像や影のある画像等、特殊な演出を施した新たな組合わせ画像Ｋを効果的に表現することができる。
このような効果は、互いに相似形である画像や同一形状・同一大きさの画像をずらして配置させるような場合にも同様である。
従って一段とビジュアル性に優れると共に、オリジナル性のあるアルバム１とすることができる。
また表紙部１０に備える画像を、板状部材（主としてアクリル板）からなる表紙部１０の外面側に設ける構成とすることで、板状部材の厚みを利用して、ページ構成体２１に備える画像と、表紙部１０に備える画像とに効果的に高低差を設けることができる。よって立体感、奥行き感のある新たな組合わせ画像Ｋを効果的に表示することができる。
従って一段とビジュアル性に優れると共に、オリジナル性のあるアルバム１とすることができる。
また表紙部１０に備える装飾画像Ｓを、０．８ｍｍ〜１ｍｍ程度の厚みを持たせて形成する（装飾画像Ｓを形成するインク層Ｉの厚みを０．８ｍｍ〜１ｍｍ程度とする）構成とすることで、ページ構成体２１に備える画像と、表紙部１０に備える画像とに一段と高低差を設けることができる。よって一段と立体感、奥行き感のある新たな組合わせ画像Ｋを効果的に表示することができるアルバム１とすることができる。
従って一段とビジュアル性に優れると共に、オリジナル性のあるアルバム１とすることができる。
また無色透明なアクリル板１１ａの表面に、無色透明な接着剤４０を介して、透過領域Ｔを備えるフィルムを貼り付けて表紙部１０を形成する構成とすることで、透明感（クリア感）及び高級感のある表紙部１０とすることができると共に、変色し難い表紙部１０とすることができる。
またアクリル板１１ａとフィルム１１ｂとを、接着剤４０を介して貼り付けるだけで表紙部１０を形成する構成とすることで、表紙部１０の形成を容易なものとすることができ、製造効率の良いアルバム１とすることができる。
更にアクリル板１１ａとフィルム１１ｂとを同一形状、同一大きさとすることで、アクリル板とフィルムとの位置合わせを容易に行うことができ、貼り合わせ作業の効率化を図ることができる。よって一段と製造効率の良いアルバム１とすることができる。
更にフィルムに備える画像を、コンピュータの画像処理ソフトを用いて作成し、透過性のある有色インクを用いてフィルムに印刷形成する構成とすることで、自由なレイアウトの画像を容易に形成することができる。また画像のレイアウト変更を行う場合でも容易にレイアウト変更を行うことができる。
またページ構成体２１を形成する印刷体２１ｂに、コンピュータの画像処理ソフトと印画紙出力を用いて、写真画像Ｐと装飾画像Ｓとを合成印刷する構成とすることで、印刷体２１ｂに写真画像Ｐと装飾画像Ｓとの自由なレイアウトを容易に形成することができる。また１枚の印刷体２１ｂに複数の画像を容易に表示させることができる。よってビジュアル性に優れると共に、オリジナル性のあるページ部２０とすることができる。
また表紙部１０とページ部２０とを一体化させる工程を、接着剤を介して表紙部１０とページ部２０とを貼り付けるだけの構成とすることで、製造工程の簡略化を実現することができる。よって製造効率の良いアルバム１とすることができる。
更にベース材２１ａの大きさを、２つ折り（谷折り）にした状態でアクリル板と同一大きさとなる構成とすることで、表紙部１０とページ部２０との位置合わせを容易に行うことができ、貼り合わせ作業の効率化を図ることができる。よって一段と製造効率の良いアルバム１とすることができる。
また印刷体２１ｂの表面に表面保護膜２１ｃを被覆させる構成とすることで、印刷体２１ｂに汚れや傷が付くことを効果的に防止することができると共に、アルバム１を閉じた状態においては、隣接する印刷体２１ｂ同士が湿気等により接着することを効果的に防止することができる。更に表面保護膜２１ｃをニスで形成する構成とすることで、光沢感、或いはつや消し感を備えたページ部２０とすることができ、高級感を演出することができる。
また背カバー部３０をビニールレザーで形成する構成とすることで、防水、防汚に優れると共に、高級感を演出することができる。
【００３９】
つまり図９（ａ）に簡略化して示すように、従来のアルバム２は、表紙部３と、厚紙等の芯材の表裏全面に感圧性接着剤を塗布し、表面を透明の保護フィルムで剥離自在に被覆した台紙４を複数連結させてなるページ部５とを一体化させて形成されるものが一般的であった。
またこのような従来のアルバム２においては、芯材と保護フィルムとの間に写真Ｑ（いわゆる現像写真）を挟み込むことで写真を保存、閲覧するものが一般的であった。また表紙部３は無地で形成されるものが一般的であった。
よってアルバムの構成（形態等）が単調なものとなり、オリジナル性に欠けるという問題があった。
また近年、透明感（クリア感）、高級感を演出できるアルバムとして、透明のアクリル板で表紙部を形成するアルバムが開発されている。
より具体的には、図１０に示すように、表紙部７と、写真画像Ｐ等の画像を備えるページ構成体８を複数連結させてなるページ部９とを一体化させて形成されるアルバム６が開発されている。
しかしこのようなアルバム６においては、図１０（ｂ）に示すように、アクリル板の透明感を生かすため、表紙部７にのみに画像を設けてあるものが一般的であった。
よってビジュアル性及びオリジナル性に欠けるという問題があった。またアクリル板の厚みを生かして立体感や奥行き感のある画像を効果的に表示することができないという問題があった。
【００４０】
従って本発明の実施形態に係るアルバム１の構成とすることで、ビジュアル性に優れると共に、オリジナル性のあるアルバム１とすることができる。
また立体感、奥行き感のある画像を効果的に表示することができるアルバム１とすることができる。
【００４１】
次に図６〜図８を参照して、本発明の実施形態に係るアルバム１の製造方法を説明することで、本発明の実施形態に係るアルバム１を更に詳細に説明する。
【００４２】
まず図６（ａ）を参照して、表紙部形成工程Ｒにより、おもて表紙１１及びうら表紙１２を形成する所定大きさのアクリル板を準備する。
そして、コンピュータの画像処理ソフト等を用いて、アクリル板と同一形状、同一大きさで無色透明のフィルムの表面に装飾画像Ｓ等を形成する。
より具体的には、まずコンピュータの画像処理ソフトを用いて、フィルムにおいて透過領域Ｔとなる領域には装飾画像Ｓを配置し（描画し）、非透過領域Ｎとなる領域には有色インクをベタ塗り配置する画像データを作成する。
その後、作成した画像データを図示しないインクジェット印刷機に入力し、フィルムの表面に、透過領域Ｔとなる領域には装飾画像Ｓを印刷形成し、非透過領域Ｎとなる領域には有色インクをベタ塗りすることで非透過領域Ｎを印刷形成する。
なお、ここで装飾画像Ｓは、透過性のある有色インクを用いてインク層Ｉの厚みが０．８ｍｍ〜１ｍｍ程度の厚みとなるように、いわゆる厚盛り印刷して形成する。
より具体的には、フィルムの所定位置（装飾画像Ｓを形成する位置）に透過性のある有色インクを複数回塗布することで装飾画像Ｓを形成する。
その後、おもて表紙１１及びうら表紙１２を形成するアクリル板に、図示しない無色透明の接着剤を介して、それぞれ対応するフィルムを貼り付ける。
より具体的には、本実施形態においては、図示しない圧着機（いわゆる圧着ローラー）を用いて接着剤付きのフィルムをアクリル板に圧着させてある。
これにより、図６（ａ）に示す表紙部１０（おもて表紙１１及びうら表紙１２）が形成される。
なお接着剤としては、アクリル系接着剤等を用いることができる。
【００４３】
次に図６（ｂ）を参照して、ページ部形成工程Ｕにより、印刷体２１ｂを形成する所定の大きさの印画紙を準備して、写真画像Ｐと装飾画像Ｓとを合成印刷する。
なお写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
また印画紙への写真画像Ｐと装飾画像Ｓとの印刷は、図示しないプリンターを用いて印画紙出力により行う。
次に図示していないが、写真画像Ｐと装飾画像Ｓとを印刷した印画紙の表面全体に表面保護剤を塗布することで、印刷体２１ｂの表面に表面保護膜２１ｃを形成する。
なお本実施形態においては、表面保護剤としてニスを用い、機械を用いて印刷体２１ｂの表面に表面保護膜２１ｃを形成する構成としてある。
次に図６（ｃ）を参照して、ページ構成体２１を形成するベース材２１ａとして、折り目線Ｌ１を挟んで２枚の印刷体２１ｂを並列配置させた状態で貼り付けることができる大きさの厚紙を準備する。
そしてベース材２１ａを形成する厚紙の表面に接着剤５０を塗布し、１枚のベース材２１ａと２枚の印刷体２１ｂとを貼り合わせる。そしてこの工程を所定回数（本実施形態においては５回）繰り返す。
これにより図７（ａ）に示すように、ページ構成体２１が形成される。
なお接着剤５０としては、両面テープ、にかわ等を用いることができる。
【００４４】
次に図７（ｂ）を参照して、ページ構成体２１を、折り目線Ｌ１に沿って２枚の印刷体２１ｂが内側で対向するように２つ折りにする。
そして図７（ｂ）に示すように、ページ構成体２１を２つ折りにした状態で、接着剤６０を介して複数のページ構成体２１を相互に貼り付ける。なお図７（ｂ）においては、相互に貼り合わされる５枚のページ構成体２１のうち、３枚のみを示すものとする。
なお接着剤６０としては、両面テープ、澱粉系接着剤、サクビ系接着剤等を用いることができる。
次に図７（ｃ）を参照して、相互に貼り合わされてある複数のページ構成体２１を、図示しない切断機により切断線Ｌ２に沿って切断する。
この工程により、ベース材２１ａと印刷体２１ｂとの貼り合わせ工程で生じる、ベース材２１ａと印刷体２１ｂとの間におけるズレ部分を切断することができ、ベース材２１ａと印刷体２１ｂとの寸法合わせを行うことができる。
次に図８（ａ）を参照して、相互に貼り合わされてある複数のページ構成体２１のうち、最初と最後のページ部分の所定領域（図８（ａ）に１点鎖線で示す領域）を図示しない切断機により切断して取り除く。より具体的には、最初と最後のページ部分において、表紙部１０の透過領域Ｔと対向する領域を取り除く。
なお図８（ａ）においては、説明の便宜上、１点鎖線で示す領域を実際より小さく表示すものとする。
これにより、複数のページ構成体２１が相互に連結されていると共に、１対の表紙部取り付け用片２２を備えてなるページ部２０が形成される。
なお、ここで１対の表紙部取り付け用片２２は、その大きさが、表紙部１０の非透過領域Ｎの大きさ以下となるように形成することが必要である。
【００４５】
次に図８（ａ）を参照して、背カバー部形成工程Ｖにより、背カバー部３０となる所定大きさのビニールレザーを準備し、図示しない接着剤を介して所定位置にビニールレザーを貼り付ける。より具体的には、１対の表紙部取り付け用片２２のうち、何れか一方の表紙部取り付け用片２２から複数のページ構成体２１の背部分を渡って、残る他方の表紙部取り付け用片２２までに、図示しない接着剤を介してビニールレザーを一体的に貼り付ける。
これにより背カバー部３０が形成される。
なお接着剤としては両面テープ等を用いることができる。
【００４６】
次に図８（ｂ）を参照して、表紙部取り付け工程Ｗにより、１対の表紙部取り付け用片２２に接着剤７０を介して、それぞれおもて表紙１１、うら表紙１２を貼り付ける。
以上の工程を経ることで、図８（ｃ）に示す本発明の実施形態に係るアルバム１が形成される。
なお接着剤７０としては、両面テープ等を用いることができる。
【００４７】
なお本実施形態においては、アクリル板１１ａ、フィルム１１ｂ、ベース材２１ａ、印刷体２１ｂ、背カバー部３０を四角形若しくは長方形で形成する構成としたが、必ずしもこのような構成に限るものではなく、アクリル板１１ａ、フィルム１１ｂ、ベース材２１ａ、印刷体２１ｂ、背カバー部３０の形状は適宜変更可能である。
また透過領域Ｔと非透過領域Ｎの構成（配置位置、大きさ等）、写真画像Ｐ、装飾画像Ｓの構成（デザイン、配置位置、大きさ、数等）、ページ構成体２１の構成（ベース材２１ａ、印刷体２１ｂの枚数等）も本実施形態のものに限るものではなく、適宜変更可能である。
例えば本実施形態においては、非透過領域Ｎを有色で無模様な領域とする構成としたが、非透過領域Ｎにも画像を印刷形成するような構成とすることができる。このような構成とすることで、一段とビジュアル性に優れると共に、オリジナル性のあるアルバム１とすることができる。
また例えば本実施形態においては、おもて表紙１１及びうら表紙１２に装飾画像Ｓのみを設ける構成としたが、おもて表紙１１及び／又はうら表紙１２に写真画像Ｐと装飾画像Ｓとを合成印刷するような構成としてもよいし、おもて表紙１１及び／又はうら表紙１２に写真画像Ｐのみを印刷形成するような構成としてもよい。
また例えば本実施形態においては、透過領域Ｔと非透過領域Ｎとを分離させて設ける構成としたが、透過領域Ｔの一部に非透過領域を設けるような構成としてもよい。
また本実施形態においては、アルバム１のおもて表紙１１側とうら表紙１２側との両側で新たな合成画像を表示する構成としたが、必ずしもこのような構成に限るものではなく、アルバム１のおもて表紙１１側とうら表紙１２側との何れか片側だけで新たな合成画像を表示する構成としてもよい。
また本実施形態においては、複数のページ（印刷体２１ｂ）を備えるアルバム１において、ページ毎で独立した画像を設ける構成としたが、必ずしもこのような構成に限るものでない。例えば複数のページ（印刷体２１ｂ）のうち、見開き状態で隣接するページ（印刷体２１ｂ）に渡って連続する（つながりのある）画像を印刷形成するような構成としてもよい。このような構成とすることで、一段とオリジナル性を有すると共に、ビジュアル性に優れたアルバム１とすることができる。
また本実施形態においては、アクリル板１１ａとして無色透明のアクリル板を用いる構成としたが、必ずしもこのような構成に限るものではなく、無色半透明のアクリル板や、有色透明のアクリル板や、有色半透明のアクリル板を用いる構成としてもよい。
また本実施形態においては、フィルム１１ｂとして無色透明のフィルムを用いる構成としたが、必ずしもこのような構成に限るものではなく、無色半透明のフィルムや、有色透明のフィルムや、有色半透明のフィルムを用いる構成としてもよい。
また本実施形態においては、表紙部１０を形成する部材として、アクリル板を用いる構成としたが、必ずしもこのような構成に限るものではなく、少なくともその一部に、透明若しくは半透明な透過領域を備えると共に、該透過領域に写真画像等の画像を備えることができるものであれば如何なるものを用いてもよい。
【産業上の利用可能性】
【００４８】
本発明は、記念写真を保存、閲覧することができるアルバムに利用することができる。
【符号の説明】
【００４９】
１          アルバム
２          アルバム
３          表紙部
４          ページ構成体
５          ページ部
６          アルバム
７          表紙部
８          ページ構成体
９          ページ部
１０        表紙部
１１        おもて表紙
１１ａ      アクリル板
１１ｂ      フィルム
１２        うら表紙
２０        ページ部
２１        ページ構成体
２１ａ      ベース材
２１ｂ      印刷体
２１ｃ      表面保護膜
２２        表紙部取り付け用片
３０        背カバー部
４０        接着剤
５０        接着剤
６０        接着剤
７０        接着剤
Ｃ          長さ
Ｄ          長さ
Ｅ          長さ
Ｆ          長さ
Ｇ          長さ
Ｈ          長さ
Ｉ          インク層
Ｊ          長さ
Ｋ          組合わせ画像
Ｌ１        折り目線
Ｌ２        切断線
Ｍ          長さ
Ｎ          非透過領域
Ｐ          写真画像
Ｑ          写真
Ｒ          表紙部形成工程
Ｓ          装飾画像
Ｔ          透過領域
Ｕ          ページ部形成工程
Ｖ          背カバー部形成工程
Ｗ          表紙部取り付け工程
【図１】
0005988664.tif 000002
【図２】
0005988664.tif 000003
【図３】
0005988664.tif 000004
【図４】
0005988664.tif 000005
【図５】
0005988664.tif 000006
【図６】
0005988664.tif 000007
【図７】
0005988664.tif 000008
【図８】
0005988664.tif 000009
【図９】
0005988664.tif 000010
【図１０】
0005988664.tif 000011